(57)【要約】【課題】脱水孔による洗濯物の変形を防止することができ、洗濯行程時に洗濯槽の内面と洗濯物との摩擦を増大させて洗濯効果を向上させることができ、洗濯水の使用量を減少させることができる洗濯機を提供する。【解決手段】回転する洗濯槽を備えており、前記洗濯槽が、内面から外側方向に多角錐状に陥没された多数の陥没部と、前記各陥没部にそれぞれ形成された多数の脱水孔とを含むことを特徴とする洗濯機を構成する。【選択図】図２
2008212635.tif 000002
【特許請求の範囲】
【請求項１】
回転する洗濯槽を備えた洗濯機において、
前記洗濯槽は、内面から外側方向に多角錐状に陥没された多数の陥没部と、前記各陥没部にそれぞれ形成された多数の脱水孔と、を含むことを特徴とする洗濯機。
【請求項２】
前記多数の陥没部は、互いに隣接して形成されたことを特徴とする請求項１に記載の洗濯機。
【請求項３】
前記各陥没部は、前記洗濯槽の内面側に突出する多角辺部と、前記多角辺部のコーナーから前記脱水孔に延長される谷部と、前記多角辺部の辺から前記脱水孔に延長される傾斜面と、を含むことを特徴とする請求項２に記載の洗濯機。
【請求項４】
前記脱水孔の直径は、２．２〜２．６ｍｍで、
前記多角辺部の対角長さは、前記陥没部の深さの１６〜１８倍であることを特徴とする請求項３に記載の洗濯機。
【請求項５】
前記多角辺部は、曲面状に形成されたことを特徴とする請求項３に記載の洗濯機。
【請求項６】
前記各陥没部は、前記脱水孔の位置より相対的に前記洗濯槽の内面側に突出する四角辺部を備えた四角錐状に形成されたことを特徴とする請求項２に記載の洗濯機。
【請求項７】
前記四角辺部の一辺の長さは、前記陥没部の深さの１０〜１３倍であることを特徴とする請求項６に記載の洗濯機。
【請求項８】
前記脱水孔の直径は、２．２〜２．６ｍｍで、
前記四角辺部の一辺の長さは、前記脱水孔の直径の１０〜１２倍であることを特徴とする請求項６に記載の洗濯機。
【請求項９】
前記四角辺部は、曲面状に形成されたことを特徴とする請求項６に記載の洗濯機。
【請求項１０】
水槽と；
前記水槽内に設置されており、内面から外側方向に多角錐状に陥没された多数の陥没部と、前記各陥没部にそれぞれ形成された多数の脱水孔とを含む洗濯槽と；
前記洗濯槽を回転させる駆動装置と；
前記水槽内の洗濯水を前記洗濯槽の内部に供給する洗濯水循環装置と；を含むことを特徴とする洗濯機。
【請求項１１】
前記多数の陥没部は、互いに隣接して形成されたことを特徴とする請求項１０に記載の洗濯機。
【請求項１２】
前記各陥没部は、前記洗濯槽の内面側に突出する多角辺部と、前記多角辺部のコーナーから前記脱水孔に延長される谷部と、前記多角辺部の辺から前記脱水孔に延長される傾斜面と、を含むことを特徴とする請求項１１に記載の洗濯機。
【請求項１３】
前記脱水孔の直径は、２．２〜２．６ｍｍで、
前記多角辺部の対角長さは、前記陥没部の深さの１６〜１８倍であることを特徴とする請求項１２に記載の洗濯機。
【請求項１４】
前記多角辺部は、曲面状に形成されたことを特徴とする請求項１２に記載の洗濯機。
【請求項１５】
前記各陥没部は、前記脱水孔の位置より相対的に前記洗濯槽の内面側に突出する四角辺部を備えた四角錐状に形成されたことを特徴とする請求項１１に記載の洗濯機。
【請求項１６】
前記四角辺部の一辺の長さは、前記陥没部の深さの１０〜１３倍であることを特徴とする請求項１５に記載の洗濯機。
【請求項１７】
前記脱水孔の直径は、２．２〜２．６ｍｍで、
前記四角辺部の一辺の長さは、前記脱水孔の直径の１０〜１２倍であることを特徴とする請求項１５に記載の洗濯機。
【請求項１８】
前記四角辺部は、曲面状に形成されたことを特徴とする請求項１５に記載の洗濯機。
【請求項１９】
洗濯水の加熱のために前記水槽の内側下部に設置されたヒーターをさらに含むことを特徴とする請求項１０に記載の洗濯機。
【請求項２０】
前記水槽からの水を排水させる排水装置を含んでおり、
前記排水装置は、前記水槽の下部に連結される排水管と、前記排水管に連結された排水ポンプと、を含むことを特徴とする請求項１０に記載の洗濯機。
【請求項２１】
前記洗濯水循環装置は、前記排水ポンプの出口側の排水管に装着される流路切り替えバルブと、前記流路切り替えバルブから前記洗濯槽の入口側に延長された洗濯水循環管と、  前記洗濯水循環管の出口に結合される噴射ノズルと、を含むことを特徴とする請求項２０に記載のドラム洗濯機。
【請求項２２】
前記脱水孔は、前記各陥没部内の深い位置にそれぞれ形成されたことを特徴とする請求項１に記載の洗濯機。
【請求項２３】
洗濯機内に内面を有する回転洗濯槽は、
前記回転洗濯槽の一面に沿って形成され、前記回転洗濯槽の内面に対して外側に傾斜した多数の傾斜陥没部と、
前記各陥没部内にそれぞれ形成された多数の脱水孔と、を含むことを特徴とする回転洗濯槽。
【請求項２４】
前記各陥没部は、多角錐状に形成されたことを特徴とする請求項２３に記載の回転洗濯槽。
【発明の詳細な説明】
【技術分野】
【０００１】
本発明は、洗濯機に関するもので、より詳細には、洗濯物の損傷を減少できるとともに、洗濯効果を向上できる洗濯槽を備えた洗濯機に関するものである。
【背景技術】
【０００２】
特許文献１に開示された洗濯機は、水槽の内部に回転可能に装着されたドラム型洗濯槽を備えている。洗濯槽内には、洗濯槽の回転時に洗濯物を上昇・落下させる多数のリフターが設置されており、洗濯槽の周りには、排水のための多数の脱水孔が形成されている。
【０００３】
上記のような洗濯機においては、脱水を行うときに水槽の水を排水させた状態で、洗濯槽が高速回転する。洗濯槽が高速回転すると、洗濯物は、遠心力によって洗濯槽の内面に密着され、洗濯物に含まれた水は、遠心力によって脱水孔を通して排出される。
【０００４】
図１に示すように、上記のような洗濯機の洗濯槽１に形成された脱水孔２は、洗濯槽１の内面から外面に行くほど直径が漸次小さくなる円錐状である。脱水孔２は、洗濯槽１の内側から外側に曲面状に変形されることで、洗濯槽１の厚さより大きい高さｈを有する。この脱水孔２は、約３．５ｍｍの直径を有し、洗濯槽１の周りに約２０００個形成される。もちろん、脱水孔２の大きさ及び数は、洗濯槽１によって変わり得る。
【０００５】
しかしながら、上記のような洗濯機は、高速脱水を行うと、図１に示したように、遠心力によって洗濯物３が洗濯槽１の内面に密着されるので、軟らかい材質の洗濯物３である場合、脱水孔２に位置する部分が脱水孔２に進入することで、洗濯物３の変形をもたらした。すなわち、洗濯物３は、その表面に多数の突起３ａが形成される形態に変形された。これは、脱水孔２に位置する洗濯物３の部分が支持されないだけでなく、脱水孔２を通して洗濯槽１の外側に排水される洗濯水の流動によって洗濯物３が変形されるためである。
【０００６】
また、上記のような洗濯機は、洗濯槽１の内面がほとんど平面であることから、洗濯を行うとき、洗濯槽１の内面と洗濯物との摩擦が大きくないので、摩擦による洗濯効果に限界があった。
【０００７】
また、上記のような洗濯機は、洗濯を行うとき、洗濯槽１内部の洗濯物３が洗濯水に浸される程度に水槽に洗濯水を供給すべきであるので、洗濯水の使用量が多いという問題点があった。
【特許文献１】大韓民国公開特許公報２００６−１０７０３６号
【発明の開示】
【発明が解決しようとする課題】
【０００８】
本発明は、上記のような問題点を解決するためのもので、その目的は、脱水孔による洗濯物の変形を防止することができる洗濯機を提供することにある。
【０００９】
本発明の他の目的は、洗濯行程時に洗濯槽の内面と洗濯物との摩擦を増大させることで、洗濯効果を向上させることができる洗濯機を提供することにある。
【００１０】
本発明の更に他の目的は、従来よりも洗濯水の使用量を減少させることができる洗濯機を提供することにある。
【課題を解決するための手段】
【００１１】
上記のような目的を達成するための本発明に係る洗濯機は、回転する洗濯槽を備えており、前記洗濯槽は、内面から外側方向に多角錐状に陥没された多数の陥没部と、前記各陥没部にそれぞれ形成された多数の脱水孔とを含むことを特徴とする。
【００１２】
また、前記多数の陥没部は、互いに隣接して形成されていることを特徴とする。
【００１３】
また、前記各陥没部は、前記洗濯槽の内面側に突出する多角辺部と、前記多角辺部のコーナーから前記脱水孔に延長される谷部と、前記多角辺部の辺から前記脱水孔に延長される傾斜面とを含むことを特徴とする。
【００１４】
また、前記脱水孔の直径は、２．２〜２．６ｍｍで、前記多角辺部の対角長さは、前記陥没部の深さの１６〜１８倍であることを特徴とする。
【００１５】
また、前記各陥没部は、前記脱水孔の位置より相対的に前記洗濯槽の内面側に突出する四角辺部を備えた四角錐状に形成されていることを特徴とする。
【００１６】
また、前記四角辺部の一辺の長さは、前記陥没部の深さの１０〜１３倍であることを特徴とする。
【００１７】
また、前記脱水孔の直径は、２．２〜２．６ｍｍで、前記四角辺部の一辺の長さは、前記脱水孔の直径の１０〜１２倍であることを特徴とする。
【００１８】
また、本発明に係る洗濯機は、水槽と；前記水槽内に設置されており、内面から外側方向に多角錐状に陥没された多数の陥没部と、前記各陥没部にそれぞれ形成された多数の脱水孔とを含む洗濯槽と；前記洗濯槽を回転させる駆動装置と；前記水槽内の洗濯水を前記洗濯槽の内部に供給する洗濯水循環装置と；を含むことを特徴とする。
【００１９】
また、前記多数の陥没部は、互いに隣接して形成されていることを特徴とする。
【００２０】
また、前記各陥没部は、前記洗濯槽の内面側に突出する多角辺部と、前記多角辺部のコーナーから前記脱水孔に延長される谷部と、前記多角辺部の辺から前記脱水孔に延長される傾斜面とを含むことを特徴とする。
【００２１】
また、前記脱水孔の直径は、２．２〜２．６ｍｍで、前記多角辺部の対角長さは、前記陥没部の深さの１６〜１８倍であることを特徴とする。
【００２２】
また、前記各陥没部は、前記脱水孔の位置より相対的に前記洗濯槽の内面側に突出する四角辺部を備えた四角錐状に形成されていることを特徴とする。
【００２３】
また、前記四角辺部の一辺の長さは、前記陥没部の深さの１０〜１３倍であることを特徴とする。
【００２４】
また、前記四角辺部または前記多角辺部は、曲面状に形成されていることを特徴とする。
【００２５】
また、前記脱水孔の直径は、２．２〜２．６ｍｍで、前記四角辺部の一辺の長さは、前記脱水孔の直径の１０〜１２倍であることを特徴とする。
【００２６】
また、本発明の洗濯機は、洗濯水の加熱のために前記水槽の内側下部に設置されたヒーターをさらに含む。
【００２７】
また、本発明の洗濯機は、前記水槽からの水を排水させる排水装置を含んでおり、前記排水装置は、前記水槽の下部に連結される排水管と、前記排水管に連結された排水ポンプとを含むことを特徴とする。
【００２８】
また、前記洗濯水循環装置は、前記排水ポンプの出口側の排水管に装着される流路切り替えバルブと、前記流路切り替えバルブから前記洗濯槽の入口側に延長された洗濯水循環管と、前記洗濯水循環管の出口に結合される噴射ノズルとを含むことを特徴とする。
【００２９】
また、洗濯機内に内面を有する回転洗濯槽は、前記回転洗濯槽の一面に沿って形成され、前記回転洗濯槽の内面に対して外側に傾斜した多数の傾斜陥没部と、前記各陥没部内にそれぞれ形成された多数の脱水孔とを含むことを特徴とする。
【発明の効果】
【００３０】
本発明に係る洗濯機は、洗濯槽内部の洗濯物（脱水孔周囲の洗濯物）が、小さい傾斜及び広い面積を有する陥没部の傾斜面によって分散・支持され、洗濯槽に形成された脱水孔の大きさが従来よりも小さいので、脱水孔による洗濯物の変形を防止することができる。
【００３１】
また、本発明は、洗濯槽の内面に配列された多数の陥没部によって洗濯物と洗濯槽の内面との摩擦が増大するので、洗濯効果を向上させることができる。
【００３２】
また、本発明は、洗濯行程時、洗濯槽内に所定量の洗濯水が含まれた状態に維持されるので、水槽に少量の洗濯水を供給した状態でも洗濯を円滑に行うことができる。したがって、洗濯水の使用量を減少させることができる。
【発明を実施するための最良の形態】
【００３３】
以下、本発明の好適な実施例を、添付の図面を参照して詳細に説明する。
【００３４】
図２は、本発明に係る洗濯機の内部構成を示した断面図である。この洗濯機は、洗濯物を投入するための入口１４が前面に形成された本体１０と、本体１０内に設置された水槽１１と、水槽１１内に回転可能に設置されたドラム型洗濯槽２０と、本体１０の入口１４を開閉するドア１５とを備えたドラム式洗濯機である。
【００３５】
水槽１１は、入口を備えた前面部１１ａが後面部１１ｂより高い位置に位置するように、洗濯機の設置面に対して所定角度αだけ傾斜して設置され、水槽１１内部の洗濯槽２０も、水槽１１と同一の形態で傾斜して設置される。
【００３６】
洗濯槽２０は、その後面部２１に結合されて水槽１１の後面部１１ｂを貫通する回転軸１２によって、回転可能に支持される。そして、水槽１１の後面部１１ｂの外側には、回転軸１２を回転させる駆動モーター１３が設置される。駆動モーター１３が回転軸１２を回転させることで、水槽１１内部の洗濯槽２０が回転可能になる。
【００３７】
水槽１１の上部には、水槽１１の内部に洗剤を供給するための洗剤供給装置１６と、水槽１１の内部に洗濯水を供給するための給水装置１７とが設置される。洗剤供給装置１６は、本体１０の前面部側に設置される。給水装置１７は、外部の給水管１７ａと洗剤供給装置１６との間を連結する第１給水管１７ｂと、洗剤供給装置１６と水槽１１との間を連結する第２給水管１７ｃと、第１給水管１７ｂに設置されて給水を制御する給水制御バルブ１７ｄとを含む。その結果、水槽１１の内部に供給される水が洗剤供給装置１６を経由することで、洗剤が水と一緒に水槽に供給される。
【００３８】
水槽１１の内側下部には、水槽１１の洗濯水を加熱するヒーター１８が設置される。このようなヒーター１８の設置のために、水槽１１の下部には、下方に突出するヒーター収容部１１ｃが設けられる。その結果、ヒーター収容部１１ｃ内にヒーター１８が収容されると同時に、ヒーター収容部１１ｃ内に洗濯水が溜まるようになる。
【００３９】
水槽１１の外側下部には、水槽１１の洗濯水を排水させるための排水装置３０と、水槽１１内部の洗濯水を洗濯槽２０の内部に供給するための洗濯水循環装置４０とが設置される。排水装置３０は、水槽１１下部の排水口３１に連結された第１排水管３２と、第１排水管３２に設置される排水ポンプ３３と、排水ポンプ３３の出口側に連結された第２排水管３４とを含む。
【００４０】
洗濯水循環装置４０は、排水ポンプ３３の出口側の第２排水管３４に設置された流路切り替えバルブ４１と、流路切り替えバルブ４１から洗濯槽２０の入口２３側に延長された洗濯水循環管４２と、循環管４２の出口に設置された噴射ノズル４３とを含む。流路切り替えバルブ４１は、洗濯水が排水ポンプ３３の出口から外部に排水されるか、洗濯水が循環管４２側に流れるように流路を切り替えることができる。流路切り替えバルブ４１は、通常の電動式三方バルブで構成される。その結果、図２に示すように、循環管４２側に洗濯水が流れるように流路切り替えバルブ４１が動作した状態で排水ポンプ３３が動作すると、水槽１１内部の洗濯水が第１排水管３２及び循環管４２を通して洗濯槽２０の内部に噴射される。もちろん、洗濯水を外部に案内する第２排水管３４側に洗濯水が流れるように流路切り替えバルブ４１が動作した状態で排水ポンプ３３が動作すると、水槽１１の洗濯水が外部に排水される。
【００４１】
洗濯槽２０は、図２及び図３に示すように、回転軸１２と結合される後面部２１と、入口２３が形成された前面部２２と、両端が前面部２２及び後面部２１にそれぞれ結合される円筒状の周り部２４とを含む。洗濯槽２０の周り部２４の内面には、洗濯槽２０の回転時に内部の洗濯物を上昇・落下させる多数のリフター２５が設置され、洗濯槽２０の後面部２１の内面には、洗濯力を向上させるための多数の撹拌突起２６が形成される。
【００４２】
また、洗濯槽２０の周り部２４には、図３、図４及び図５に示すように、その内面から外側方向に四角錐状に陥没された多数の陥没部５０が設けられ、排水のために、各陥没部５０の最も深い位置に脱水孔６０がそれぞれ形成される。通常、脱水孔６０は、洗濯水の円滑な排水のために各陥没部５０の最も深い中心部分に設けられる。そして、多数の陥没部５０は、四方にかけて連続的に形成される。したがって、洗濯槽の周り部の内面は、四角形の屈曲面が連続的に形成された形態になる。
【００４３】
各陥没部５０は、相対的に脱水孔６０の位置より洗濯槽２０の周り部２４の内面側に突出する四角辺部５１と、四角辺部５１の各コーナーから脱水孔６０に延長される谷部５２と、四角辺部５１の各辺から脱水孔６０に延長される傾斜面５３とを備えている。四角辺部５１の一辺の長さＬ１は、陥没部５０の深さＬ２の１０〜１３倍に設定され、脱水孔６０の直径の１０〜１２倍に設定される。このとき、脱水孔６０の直径は、約２．２〜２．６ｍｍに設定される。例えば、四角辺部５１の一辺の長さＬ１は、２５ｍｍに設定されることが好ましく、陥没部５０の深さＬ２は２ｍｍに設定されることが好ましく、脱水孔６０の直径は２．５ｍｍに設定されることが好ましい。
【００４４】
上記のような構成により、脱水のために洗濯槽２０が高速回転するとき、小さい傾斜及び広い面積を有する傾斜面５３によって脱水孔６０の周囲に位置する洗濯物が分散・支持されることで、脱水孔６０による洗濯物の変形を防止することができる。
【００４５】
洗濯槽２０の周り部２４の内面側に突出する四角辺部５１は、図４に示すように、丸い曲面状に設けられる。その結果、曲面状の四角辺部５１と洗濯物とが接触することで、洗濯物の変形及び損傷を防止することができる。
【００４６】
本実施例では、脱水孔６０の直径が２．５ｍｍに設定され、洗濯槽の周り部２４に形成される脱水孔６０の数が約７００個に設定された。その結果、従来より脱水孔６０の大きさ及び数を減少させることで、洗濯物の変形を防止すると同時に、洗濯を行うとき、洗濯槽２０内部からの洗濯水の排水を遅延させることで、洗濯槽２０内に洗濯のための洗濯水が含まれるようになる。すなわち、図２に示すように、洗濯水循環装置６０によって洗濯槽２０の内部に供給された洗濯水の水位が適正水位以下である場合、脱水孔６０を通して排水される洗濯水の量が、洗濯槽２０の内部に供給される洗濯水の量より少なくなるように調節することで、洗濯槽２０内に水が含まれるようになる。
【００４７】
すなわち、本発明は、洗濯槽２０内部の水位が低くなると、その水位範囲内に存在する脱水孔６０の数が減少し、洗濯槽２０からの洗濯水の排水速度が遅くなる。一方、洗濯槽２０内部の水位が高くなると、その水位範囲内に存在する脱水孔６０の数が増加し、洗濯槽２０からの洗濯水の排水速度が速くなる。その結果、洗濯槽２０に洗濯水が含まれるようになり、その水位が常に適正な状態に維持される。したがって、本発明は、水槽１１に少量の洗濯水を供給した状態でも、洗濯槽２０内に充分な洗濯水位が形成されるので、洗濯水の使用を減少させることができる。
【００４８】
また、上記のような洗濯槽２０は、洗濯行程時、多数の陥没部５０によって洗濯物と洗濯槽２０内面との摩擦を増大させるので、洗濯効果も高めることができる。
【００４９】
図４及び図５は、洗濯槽２０内面の陥没部５０が四角錐状に形成される場合を示したが、陥没部５０は、これに限定されるものでなく、多角錐状にも形成される。すなわち、陥没部５０は、三角錐、五角錐、六角錐などの形態に形成されるか、これらを組み合わせた形態に形成される。もちろん、何れの場合にも、脱水孔６０は、各陥没部５０の最も深い部分に形成される。陥没部５０が五角または六角などの多角錐状に形成される場合、脱水孔６０の直径は約２．２〜２．６ｍｍに設定され、多角辺部の対角長さは陥没部５０の深さの約１６〜１８倍に設定されると良い。その結果、陥没部５０内面の傾斜が小さくなり、脱水行程時に洗濯物の変形を最小化することができる。
【００５０】
以下、上記のような洗濯機の動作を説明する。
【００５１】
洗濯槽２０の内部に洗濯物を入れ、洗剤供給装置１６に洗剤を投入した状態で洗濯機を動作させると、給水装置１７の給水制御バルブ１７ｄが開放されながら水槽１１の内部に洗濯水が供給される。このとき、洗剤供給装置１６の洗剤は、給水過程で洗濯水と一緒に水槽１１の内部に供給される。適正な量の洗濯水が供給された後、給水が終了される。
【００５２】
給水後には、駆動モーター１３の動作によって、洗濯槽２０が低速回転しながら洗濯を行う。また、洗濯水循環装置４０の動作によって、水槽１１下部の洗濯水が洗濯槽２０の内部に供給される。このとき、脱水孔６０を通して排水される洗濯水の量が、洗濯槽２０の内部に供給される洗濯水の量より少ないので、洗濯槽２０内は、適正な量の洗濯水が含まれた状態に維持される。洗濯槽２０内部の水位が適正な水位より高くなると、その水位範囲内に存在する脱水孔６０の数が多くなるので、排水量が増加し、洗濯槽２０内の水位が低くなる。一方、洗濯槽２０内部の水位が適正な水位より低いと、その水位範囲内に存在する脱水孔６０の数が少なくなるので、排水量が減少し、洗濯槽２０内の水位が高くなる。したがって、洗濯槽２０内には、常に適正な水位が維持される。
【００５３】
上記のように、本発明は、洗濯行程時、洗濯槽２０内に所定量の洗濯水が含まれた状態に維持されるので、水槽１１に少量の洗濯水を供給した状態でも洗濯を円滑に行うことができ、洗濯水の使用量を減少させることができる。もし、ヒーター１８で洗濯水を加熱して洗濯を行う場合には、従来よりも洗濯水の量が少ないので、その分だけ洗濯水を迅速に加熱することができ、全体的な洗濯時間を減少させると同時に、洗濯水の加熱のためのエネルギー量も減少させることができる。また、この洗濯機は、洗濯槽２０の内面に形成された多数の陥没部５０によって洗濯物と洗濯槽２０の内面との摩擦が増大するので、洗濯効果も向上する。
【００５４】
洗濯動作後には、脱水と給水を反復する濯ぎ動作を行い、濯ぎ動作後には、洗濯槽２０が高速回転しながら脱水を行う。高速脱水を行うときは、洗濯槽２０内部の洗濯物が遠心力によって洗濯槽２０の内面に密着されるが、本発明の洗濯槽２０は、小さい傾斜及び広い面積を有する陥没部５０の傾斜面５３によって脱水孔６０周囲の洗濯物が分散・支持されるだけでなく、従来よりも脱水孔６０の大きさが小さいので、脱水孔６０による洗濯物の変形を防止することができる。
【図面の簡単な説明】
【００５５】
【図１】従来の洗濯機の洗濯槽に形成された脱水孔を示した断面図である。
【図２】本発明に係る洗濯機の内部構成を示した断面図である。
【図３】本発明に係る洗濯機の洗濯槽を示した斜視図である。
【図４】図２のＡ部を示した詳細図である。
【図５】図３のＢ部を示した詳細図である。
【符号の説明】
【００５６】
１０  本体
１１  水槽
１２  回転軸
１３  駆動モーター
１４  入口
１５  ドア
１６  洗剤供給装置
１７  給水装置
１８  ヒーター
２０  洗濯槽
３０  排水装置
３３  排水ポンプ
４０  洗濯水循環装置
４１  流路切り替えバルブ
４２  循環管
４３  噴射ノズル
５０  陥没部
５１  四角辺部
５２  谷部
５３  傾斜面
６０  脱水孔
【図１】
2008212635.tif 000003
【図２】
2008212635.tif 000004
【図３】
2008212635.tif 000005
【図４】
2008212635.tif 000006
【図５】
2008212635.tif 000007